(57)【特許請求の範囲】
【請求項１】
下ペダルと上ペダルとが進出／退避する開口と、該開口の縁部に前記下ペダルを支承する下ペダル軸と前記上ペダルを支承する上ペダル軸とが挿通する枠部とを有した基板と、前記下ペダルと前記上ペダルとを駆動する駆動源と、商品の売り切れ状態を検出する売切検出装置と、前記基板と前記駆動源との間に取り付けられるとともに前記基板の縁部と前記枠部との間に嵌め込まれ、前記駆動源に電力を供給する電力供給リード線と前記売切検出装置から売切検出信号を受信する信号リード線をガイドするとともに枠部を挿通した下ペダル軸と上ペダル軸の脱落を防止する合成樹脂製の配線ガイドとを備えた商品搬出装置において、
前記配線ガイドは、前記基板と前記駆動源との間に取り付けられる絶縁部と、前記基板の縁部と前記枠部との間に嵌め込まれる保護部との境界部分に当該保護部を折り曲げ可能とするヒンジ部を有し、
前記配線ガイドの絶縁部を前記基板と前記駆動源との間に取り付けた状態で、前記配線ガイドの保護部が前記ヒンジ部を境界として屈曲した際の復元力によっては前記基板の縁部と前記枠部との間に前記配線ガイドの保護部が嵌り込む事態を規制する一方、前記復元力を越える外力によっては前記基板の縁部と前記枠部との間に前記配線ガイドの保護部が嵌り込むことを許容する嵌り込み規制手段を前記基板又は前記配線ガイドの少なくとも一方に設けたことを特徴とする商品搬出装置。
【発明の詳細な説明】
【技術分野】
【０００１】
本発明は、自動販売機に内蔵された商品収納ラックに搭載され、商品収納ラックに収納された商品を１つずつ搬出する商品搬出装置に関するものである。
【背景技術】
【０００２】
自動販売機に内蔵された商品収納ラックに搭載され、商品収納ラックに収納された商品を1つずつ搬出する商品搬出装置が広く知られている。このような商品搬出装置は、商品収納ラックに画成された商品収納通路に下ペダルと上ペダルとを交互に進出／退避させることにより、商品を１つずつ搬出するようになっており、駆動装置と売切検出装置とを備えている。駆動装置は、下ペダルと上ペダルとを商品収納通路に交互に進出／退避させるもので、例えば、ソレノイドを駆動源としている。売切検出装置は、商品の売り切れ、すなわち、商品収納通路内に商品があるか否かを検出するためのものである。
【０００３】
ところで、駆動源に電力を供給するための電力供給リード線及び売切検出装置から売切信号を受信するための信号リード線を保護するために配線ガイドを備えた商品搬出装置が提案されている。この配線ガイドは、合成樹脂製であって、商品搬出装置を構成する金属製の基板と駆動源とを離隔させるとともに、可動部からリード線を離隔させるように構成されている。すなわち、配線ガイドは、金属製の基板と駆動源との間に取り付けられ、基板の縁部と下ペダル及び上ペダルが進出／退避する開口の縁部に形成された枠部との間に嵌め込まれるようになっている。そして、この基板の縁部と枠部との間に嵌め込まれるように形成された部分（以下、保護部という）は、リード線を保護するほか、上述した下ペダル及び上ペダルを支承する軸の抜け止めとしても機能するようになっている（例えば、特許文献１参照）。このような商品搬出装置を組み立てる場合には、基板に配線ガイドと駆動源とを取り付けた後に、下ペダルと上ペダルとを取り付けなければならないために、配線ガイドの保護部を基板から浮かせた状態にする必要があった。
【０００４】
【特許文献１】特開２００１−１８８９５２号公報
【発明の開示】
【発明が解決しようとする課題】
【０００５】
しかしながら、配線ガイドの保護部を基板から浮かせた状態にすると、配線ガイドが撓むことになり、反力によって配線ガイドの保護部が基板の縁部と枠部との間に嵌り込むことがある。このように配線ガイドの保護部が基板の縁部と枠部との間に嵌り込んだ場合には、再度、配線ガイドを浮かせた状態にする必要が生じ、組立作業が煩雑なものとなる。
【０００６】
本発明は、上記実情に鑑みて、基板に配線ガイドと駆動源を取り付けた後、下ペダルと上ペダルの取り付けが完了するまでは、基板の縁部と枠部との間に配線ガイドが嵌り込む事態を規制することができる商品搬出装置を提供することを目的とする。
【課題を解決するための手段】
【０００７】
上記の目的を達成するために、本発明に係る商品搬出装置は、下ペダルと上ペダルとが進出／退避する開口と、該開口の縁部に前記下ペダルを支承する下ペダル軸と前記上ペダルを支承する上ペダル軸とが挿通する枠部とを有した基板と、前記下ペダルと前記上ペダルとを駆動する駆動源と、商品の売り切れ状態を検出する売切検出装置と、前記基板と前記駆動源との間に取り付けられるとともに前記基板の縁部と前記枠部との間に嵌め込まれ、前記駆動源に電力を供給する電力供給リード線と前記売切検出装置から売切検出信号を受信する信号リード線をガイドするとともに枠部を挿通した下ペダル軸と上ペダル軸の脱落を防止する合成樹脂製の配線ガイドとを備えた商品搬出装置において、前記配線ガイドは、前記基板と前記駆動源との間に取り付けられる絶縁部と、前記基板の縁部と前記枠部との間に嵌め込まれる保護部との境界部分に当該保護部を折り曲げ可能とするヒンジ部を有し、前記配線ガイドの絶縁部を前記基板と前記駆動源との間に取り付けた状態で、前記配線ガイドの保護部が前記ヒンジ部を境界として屈曲した際の復元力によっては前記基板の縁部と前記枠部との間に前記配線ガイドの保護部が嵌り込む事態を規制する一方、前記復元力を越える外力によっては前記基板の縁部と前記枠部との間に前記配線ガイドの保護部が嵌り込むことを許容する嵌り込み規制手段を前記基板又は前記配線ガイドの少なくとも一方に設けたことを特徴とする。
【発明の効果】
【０００９】
本発明に係る商品搬出装置の配線ガイドは、基板と駆動源との間に取り付けられる絶縁部と、基板の縁部と枠部との間に嵌め込まれる保護部との境界部分に当該保護部を折り曲げ可能とするヒンジ部を有し、配線ガイドの絶縁部を基板と駆動源との間に取り付けた状態で、配線ガイドの保護部がヒンジ部を境界として屈曲した際の復元力によっては基板の縁部と枠部との間に配線ガイドの保護部が嵌り込む事態を規制する一方、復元力を越える外力によっては基板の縁部と枠部との間に配線ガイドの保護部が嵌り込むことを許容する嵌り込み規制手段を基板又は配線ガイドの少なくとも一方に設けたので、下ペダルと上ペダルの取り付けが完了するまでは、基板の縁部と枠部との間に配線ガイドが嵌り込む事態を規制することができる。
【発明を実施するための最良の形態】
【００１１】
以下に添付図面を参照して、本発明に係る商品搬出装置の好適な実施の形態を詳細に説明する。なお、この実施の形態によりこの発明が限定されるものではない。
【００１２】
図１は本発明の実施の形態である商品搬出装置を搭載した商品収納ラックを内蔵した自動販売機を示す斜視図、図２は本発明の実施の形態である商品搬出装置を搭載した商品収納ラックを示す側断面図である。
【００１３】
本発明の実施の形態である商品搬出装置を搭載した商品収納ラックを内蔵した自動販売機は、缶入り飲料、ビン入り飲料、またはペットボトル入り飲料等の商品を販売するものである。この自動販売機は、本体キャビネット１を備えている。本体キャビネット１は、複数の鋼材を適宜組み合わせることにより構成したもので、前面が開口した箱状を呈している。
【００１４】
図１に示すように、本体キャビネット１の左側縁部には、外扉２と内扉３とが支承してある。この外扉２の前面には、缶入り飲料やペットボトル入り飲料等の商品の見本を展示するための展示室、商品を選択するための選択ボタン、貨幣を投入するための貨幣投入口、払い出された商品を取り出すための商品取出口等、商品の販売に必要となる構成が配設してある。内扉３は、断熱材によって構成したもので、本体キャビネット１の前面開口を開閉すべく、本体キャビネット１と外扉２との間に配設してある。
【００１５】
本体キャビネット１の内部は、仕切板４（床板）によって商品収容室５と機械室６とに画成されている。商品収容室５は、本体キャビネット１の内部上方に画成され、機械室６は、本体キャビネット１の内部下方に画成されている。
【００１６】
図１に示すように、商品収容室５は、さらに、二つの仕切板７によって三つの商品収容庫５ａ，５ｂ，５ｃに画成されている。これら三つの商品収容庫５ａ，５ｂ，５ｃは、本体キャビネット１の幅方向に並設される。以下の説明において、正面向かって左側となる商品収容庫を「左庫５ａ」、中央となる商品収容庫を「中庫５ｂ」右側となる商品収容庫を「右庫５ｃ」と称する。
【００１７】
図１に示す自動販売機では、左庫５ａと右庫５ｃとには、本体キャビネット１の幅方向に二列の商品収納ラック１０が収容され、中庫５ｂには、本体キャビネット１の幅方向に一列の商品収納ラック１０が収容されている。
【００１８】
また、図２に示すように、左庫５ａ、中庫５ｂ、右庫５ｃには、前後方向に６列の商品収納通路を画成するように三つの商品収納ラック１０が収容されている。したがって、左庫５ａと右庫５ｃとにはそれぞれ１２種類の商品を収納することができ、中庫５ｂには６種類の商品を収納することができることになる。このため、この自動販売機は、３０種類の商品が収納でき、これらを要求に応じて販売することができるようになっている。
【００１９】
図２に示すように、商品収納ラック１０は、商品収納通路１１ごとにトップトレイ３０を備えている。トップトレイ３０は、自動販売機の前方から奥方（商品収納通路）に向けて漸次低くなるように傾斜した状態で配設される板状部材である。
【００２０】
トップトレイ３０は、上下方向に並設され、上下方向に隣接したトップトレイ相互間に商品投入口３１が画成される。そして、商品投入口３１から横倒し姿勢で投入された商品は、トップトレイ３０を転動または滑走することにより、商品収納通路１１に搬入されるようになっている。
【００２１】
また、図１に示すように、商品収容庫５ａ，５ｂ，５ｃの内部下方には、シュータ８が配設してある。シュータ８は、商品収納ラック１０から搬出された商品を商品取出口に搬出するためのもので、奥方から前方に向けて漸次低くなるように傾斜した状態で配設された板状部材である。したがって、商品収納ラック１０から搬出された商品は、シュータ８を転動又は滑走することにより商品取出口に搬出される。
【００２２】
商品収納ラック１０は、略円筒形（多角形のものも含む）で、かつ強度の高い容器に収容した商品の収納に適したサーペンタイン方式が採用されている。サーペンタイン方式の商品収納ラック１０は、横倒し姿勢で搬入された商品の勢いを消勢するとともに内部に商品を収納するものであり、図２に示すように、一対のラック側板１２の間に湾曲形状をしたセグメント１３が互いに対向するように配設することによって、商品収納通路が蛇行するように画成されている。したがって、商品収納通路１１に搬入された商品は、商品収納通路１１を通過する際の衝撃で容器が破損／変形することがない。なお、商品収納通路は、上端が商品の搬入口となり、下端が商品の搬出口となる。
【００２３】
隣り合う一対の商品収納通路１１の搬出口には、本発明の実施の形態である商品搬出装置４０が抱き合わせた状態で取り付けてあり、隣り合う一対の商品収納通路１１から任意に商品を搬出することができるようになっている。
【００２４】
図３及び図４に示すように、商品搬出装置４０は、基板４１を有している。基板４１の略下半分となる部分には、開口４２が設けてある。開口４２は、下ペダル４３と上ペダル４４とが進出／退避するためのものであって、矩形形状を呈している。開口４２の縁部は、背面側（商品収納通路から離反する方向）に延在するように折り曲げることにより、開口４２の周りに枠部４５を形成している。また、基板４１の両側縁部４６は、枠部４５と同様に、背面側に延在するように折り曲げてあり、枠部４５と側縁部４６との間には、凹部が画成されている。
【００２５】
そして、一方の側縁部４６ａから枠部４５を挿通するように下ペダル用の軸穴４７が形成してあり、一方の側縁部から挿通した下ペダル用の軸４８は、他方の側縁部４６ｂに当接することにより、他方の側縁部４６ｂから抜け落ちないようになっている。同様に、一方の側縁部４６ａから枠部を挿通するように上ペダル用の軸穴４９が形成してあり、一方の側縁部４６ａから挿通した上ペダル用の軸５０は、他方の側縁部４６ｂから抜け落ちないようになっている。
【００２６】
基板４１には、売切検出装置５１が取り付け可能となっている。売切検出装置５１は、商品の売り切れ、すなわち、商品収納通路内に商品があるか否かを検出するためのものであって、例えば、マイクロスイッチにより構成してある。
【００２７】
基板４１には、配線ガイド６０が取り付け可能となっている。配線ガイド６０は、基板４１と下ペダル４３と上ペダル４４を駆動するソレノイド５２（駆動源）との間に取り付けられるとともに基板４１の側縁部４６ａと枠部４５との間に嵌め込まれるものであって、図５及び図６に示すように、基板４１とソレノイド５２との間に介在する絶縁部６１と基板４１の側縁部４６ａと枠部４５との間に嵌め込まれる保護部６２とを有している。絶縁部６１は、基板４１とソレノイド５２との間に介在することによって、基板４１とソレノイド５２とを電気的に絶縁する機能を果たす部分である。保護部６２は、ソレノイド５２に電力を供給する電力供給リード線５２ａと売切検出装置５１から売切検出信号を受信する信号リード線５１ａをガイドするとともに、基板４１の側縁部４６ａと枠部４５との間に嵌め込まれることによって、下ペダル用の軸４８と上ペダル用の軸５０の脱落を防止する部分である。これら、絶縁部６１と保護部６２との境界部分には、配線ガイド６０とソレノイド５２とを取り付けた状態で保護部６２を折り曲げ可能とするヒンジ部６３を有している。ヒンジ部６３は、例えば、絶縁部６１と保護部６２との間に切り込みを設けることにより、構成してある。
【００２８】
また、配線ガイド６０には、突起６４（嵌り込み規制手段）が設けてある。突起６４は、基板４１の側縁部４６ａと干渉することにより、基板４１の側縁部４６ａと枠部４５との間に配線ガイド６０（保護部６２）が嵌り込む事態を規制するものであり、配線ガイド６０（保護部６２）を加圧することにより、基板４１の側縁部４６ａと枠部４５との間に配線ガイド６０（保護部６２）を押し込んだ場合には、基板４１の側縁部４６ａに形成した係止穴（図示せず）に挿通するようになっている。
【００２９】
上述した本発明の実施の形態である商品搬出装置４０は、基板４１の側縁部４６ａと枠部４５との間に配線ガイド６０（保護部６２）が嵌り込む事態を規制する突起６４（嵌り込み規制手段）を配線ガイド６０に設けたので、下ペダル４３と上ペダル４４の取り付けが完了するまでは、図７に示すように、基板４１の側縁部４６ａと枠部４５との間に配線ガイド６０（保護部６２）が嵌り込む事態を規制することができる。なお、基板４１の側縁部４６ａと枠部４５との間に配線ガイド６０が嵌り込む事態を規制する突起６４を配線ガイド６０に設けることとしたが、基板４１の側縁部４６ａ又は枠部４５に突起（嵌り込み規制手段）を設けることとしても良い。
【００３０】
また、本発明の実施の形態である商品搬出装置４０の配線ガイド６０は、ソレノイド（駆動源）と基板４１との間に取り付けられる絶縁部６１と基板４１の側縁部４６ａと枠部４５との間に嵌め込まれる保護部６２との境界部分に保護部６２を折り曲げ可能とするヒンジ部６３を有したので、配線ガイド６０の反力によって保護部６２が基板４１の側縁部４６ａと枠部４５との間に嵌り込む事態をより容易に規制することができる。
【図面の簡単な説明】
【００３１】
【図１】本発明の実施の形態である商品搬出装置を搭載した商品収納ラックを内蔵した自動販売機を示す斜視図である。
【図２】本発明の実施の形態である商品搬出装置を搭載した商品収納ラックを示す側断面図である。
【図３】本発明の実施の形態である商品搬出装置を商品収納通路側から見た斜視図である。
【図４】図３に示した商品搬出装置を背面側から見た斜視図である。
【図５】図４に示した配線ガイドを示す正面図である。
【図６】図５に示した配線ガイドを示す側面図である。
【図７】配線ガイドを浮かせた状態の商品搬出装置を示す側面図である。
【符号の説明】
【００３２】
４０    商品搬出装置
４１    基板
４２    開口
４３    下ペダル
４４    上ペダル
４５    枠部
４６ａ    側縁部
４６ｂ    側縁部
４７    下ペダル用の軸穴
４８    下ペダル用の軸
４９    上ペダル用の軸穴
５０    上ペダル用の軸
５１    売切検出装置
５１ａ    信号リード線
５２    ソレノイド
５２ａ    電力供給リード線
６０    配線ガイド
６１    絶縁部
６２    保護部
６３    ヒンジ部
６４    突起
【図１】
0005012291.tif 000002
【図２】
0005012291.tif 000003
【図３】
0005012291.tif 000004
【図４】
0005012291.tif 000005
【図５】
0005012291.tif 000006
【図６】
0005012291.tif 000007
【図７】
0005012291.tif 000008